Podtech/llm-jp-corpus-v4-ja_patent huggingface dataset:
(57)【要約】【課題】自動麻雀卓が無くても、初心者や腕力が弱くなった人が容易に手積み麻雀が行える様        にする。【解決手段】麻雀パイを２段積みにし、横に一列に並べた状態のものを一定の隙間を確保して        嵌め込む事が出来る枠体を作り、麻雀パイを端から２段に積む事により容易に段積み        が出来る様にした。【選択図】  図７
2019130023.tif 000002
【特許請求の範囲】
【請求項１】
３４個の麻雀パイを２段積みにし、横に一列に並べた状態のものを一定の隙間を確保して
嵌め込む事が出来る枠体に麻雀テーブル上に散在している麻雀パイを端から３４個のパイ
を２段に積む事により、初心者や腕力が弱くなった人では、困難な２段目を一挙に両端か
ら支え段積みをする必要を無くし、初心者や腕力が弱くなった人でも容易に段積みが出来
る様にした事を特徴とする麻雀パイ段積み具。
【請求項２】
請求項１の枠体の枠材の断面を三日月型にすることにより、パイを嵌め込む時嵌め込み口
がハの字型に広くなっていて嵌め込み安くなっている上に、薄い厚み材料でも軽くて、剛
性が維持できる事を特徴とする麻雀パイ段積み具。
【請求項３】
請求項１の枠体の素材を透明又は半透明な素材を使用する事により、１段目、２段目の積
み上げ位置が通常の視線からでも容易に確認しながら事が出来る事を特徴とする麻雀パイ
段積み具。
【発明の詳細な説明】
【技術分野】
【０００１】
本発明は麻雀パイ段積み具に関するものである。
【背景技術】
【０００２】
麻雀は自動麻雀卓に置き換わった場所も多いが、個人やデイサービス、介護施設又はパイ
積みの醍醐味から自動麻雀卓をあえて使用しない場所も多々ある。初心者や腕力が弱くな
った人では、困難な２段目を一挙に両端から支え段積みが出来ない為、この様なグループ
に参加出来ない人達が多々ある。
【先行技術文献】
【特許文献】
【０００３】
【特許文献１】特開平１０−３１４４４７
【発明の概要】
【発明が解決しようとする課題】
【０００４】
自動麻雀卓が無くても、初心者や腕力が弱くなった人が容易に手積み麻雀が行える様にする。
【課題を解決するための手段】
【０００５】
請求項１の麻雀パイ段積み具を使用する事により、１７個の麻雀パイを麻雀テーブルか、
マットの自分の席の前に１段で並べ、その上からハの字型に開いた麻雀パイ段積み具を
被せる。その上に２段目の麻雀パイを端から重ねて、段積みを終えそのまま麻雀パイ段積
み具の両端を持ち特定の位置まで滑らせて設置して麻雀パイ段積み具を上から抜き取り、
段積み作業を終える。メンバーの中に初心者等が一人の場合は麻雀パイ段積み具を一個
使用し、全員の場合は各々が同じ作業を行う事により、誰でも簡単に自動麻雀卓が無くても
容易に麻雀が出来る様になる。
【発明の効果】
【０００６】
誰でも簡単に自動麻雀卓が無くても容易に麻雀が出来る様になる。  
【図面の簡単な説明】
【０００７】
【図１】図１は麻雀パイ段積み具の平面図である。
【図２】図２は麻雀パイ段積み具の平面図である。
【図３】図３は図２のＢ-Ｂ断面図である。
【図４】図４は麻雀パイを段積みした時の麻雀パイ段積み具の平面図である。
【図５】図５は図４のＣ-Ｃ断面図である。
【図６】図６は図５のＡ-Ａ断面図である。
【図７】図７は麻雀パイ段積み具に麻雀パイを積上げている時の図である。
【図８】図８は麻雀パイ段積み具を使用して麻雀卓の上に麻雀パイを並べ終えた時の図で            ある。
【発明を実施するための形態】
【０００８】
本発明の実施形態を図１〜図８に基づいて説明する。
【０００９】
図１は麻雀パイ段積み具の平面図である。
【００１０】
図２は麻雀パイ段積み具の平面図である。
【００１１】
図３は図２のＢ-Ｂ断面図である。
【００１２】
図４は麻雀パイを段積みした時の麻雀パイ段積み具の平面図である。
【００１３】
図５は図４のＣ-Ｃ断面図である。
【００１４】
図６は図５のＡ-Ａ断面図である。
【００１５】
図７は麻雀パイ段積み具に麻雀パイを積上げている時の図である。
【００１６】
図８は麻雀パイ段積み具を使用して麻雀卓の上に麻雀パイを並べ終えた時の図である。
【実施例】
【００１７】
図７は、本発明の代表図である。
【産業上の利用可能性】
【００１８】
高齢者やデイサービス、介護施設等で高価な自動麻雀卓の購入が困難なケースでリハビリ
等に麻雀を行う時の便利グッズとして使用出来る。
【符号の説明】
【００１９】
１  Ａ−Ａ断面
２  麻雀パイ段積み具に麻雀パイを積上げている右手
３  麻雀パイ
４  麻雀パイ段積み具の長手方向の枠材
５  麻雀パイ段積み具の麻雀パイの幅方向の枠材
６  麻雀テーブル又はマットの表面
７  麻雀パイ段積み具を使用して段積みした麻雀パイの移動させている左手
８  麻雀パイ段積み具を使用して段積みした麻雀パイの移動させている右手
９  麻雀パイ段積み具を抜き取っている方向
１０  麻雀テーブル又はマットのストッパー部
１１  麻雀パイ段積み具を使用して段積みした麻雀パイを移動させている方向
１２  麻雀パイ段積み具を抜き取っている右手
【図１】
2019130023.tif 000003
【図２】
2019130023.tif 000004
【図３】
2019130023.tif 000005
【図４】
2019130023.tif 000006
【図５】
2019130023.tif 000007
【図６】
2019130023.tif 000008
【図７】
2019130023.tif 000009
【図８】
2019130023.tif 000010
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
枠体の枠材の断面を三日月型にすることにより、パイを嵌め込む時、嵌め込み口が
ハの字型に広くなっていて嵌め込み安くなる上に、薄い厚みの材料でも軽くて剛性
が維持できる枠体になる。
この枠体を使用して、麻雀テーブル上に散在している麻雀パイを端から３４個の
パイを２段に嵌め込み、積んでいく事により、初心者や腕力が弱くなった人では
困難な、２段目を一挙に両端から支え段積みする必要を無くし、初心者や腕力が弱く
なった人でもこの枠体を使用して容易に段積みが出来る様にした事を特徴とする
麻雀パイ段積み具。
【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
３４個の麻雀パイを２段積みにし、横に一列に並べた状態のものを一定の隙間を確保
して嵌め込む事が出来る枠体であって、枠材の断面を三日月型にすることにより、
パイを嵌め込む時嵌め込み口がハの字型に広くなっていて嵌め込みやすくなっている
枠体を備えることを特徴とする麻雀パイ段積み具。
(57)【要約】      （修正有）【課題】オーナメントの紛失を防止することができる指輪及びイアリングを提供する。【解決手段】指輪Ｒは、指輪に装着する指輪本体１と、オーナメント２と、このオーナメント２の裏面に設けられ、爪３に付着するための接着剤４と、指輪本体１とオーナメント２とを接続する装飾チェーン５とを有するものである。【選択図】図１
2019076668.tif 000002
【特許請求の範囲】
【請求項１】
指輪に装着する指輪本体と、
オーナメントと、
このオーナメントの裏面に設けられ、爪に付着するための接着剤と、
前記指輪本体と前記オーナメントとを接続する装飾チェーンとを有することを特徴とする指輪。
【請求項２】
耳に装着するイアリング本体と、
オーナメントと
このオーナメントの裏面に設けられ、前記耳に付着するための接着剤と、
前記イアリング本体と前記オーナメントとを接続する装飾チェーンとを有することを特徴とするイアリング。
【発明の詳細な説明】
【技術分野】
【０００１】  本発明は指輪及びイアリングに係り、特に、オーナメントの紛失を防止することができる指輪及びイアリングに関する。
【背景技術】
【０００２】  本件発明者は、先に、爪の表面に固定状態に取り付けられる立体形状のアクセサリーであって、オーナメント本体の基部に面形成パテが設けられ、且つ面形成パテの底面は爪の表面に沿うような平面状に形成されているネイルアクセサリー（特許文献参考）を開示した。
【先行技術文献】
【特許文献】
【０００３】
【特許文献１】特開２０１５−９２９７９号公開
【発明の概要】
【発明が解決しようとする課題】
【０００４】    ところが、上記ネイルアクセサリーにあっては、爪に接着剤を介して装着しているものの、場合により、ネイルアクセサリーが爪から離脱して、高価なオーナメントが紛失するという問題が生じた。【０００５】  本発明は、上記問題点を考慮してなされたもので、オーナメントの紛失を防止することができる指輪及びイアリングを提供することを目的とする。
【課題を解決するための手段】
【０００６】  請求項１記載の指輪は、指輪に装着する指輪本体と、オーナメントと、このオーナメント裏面に設けられ、爪に付着するための接着剤と、前記指輪本体と前記オーナメントとを接続する装飾チェーンとを有するものである。【０００７】  また、請求項２記載のイアリングは、耳に装着するイアリング本体と、オーナメントと、このオーナメントの裏面に設けられ、前記耳に付着するための接着剤と、前記イアリング本体と前記オーナメントとを接続する装飾チェーンとを有するものである。
【発明の効果】
【０００８】  請求項１記載の指輪によれば、爪に付着したオーナメントが爪から離脱しても、オーナメントは装飾チェーンを介して指輪本体に接続されているため、オーナメントの紛失を防止することができ、しかも、接続するという装飾チェーンは、機能的な効果以外に、装飾効果をも醸しだし、美的効果を増大させることができる。【０００９】  また、請求項２記載のイアリングによれば、耳に付着したオーナメントが耳から離脱しても、オーナメントは装飾チェーンを介してイアリング本体に接続されているため、オーナメントの紛失を防止することができ、しかも、接続するという装飾チェーンは、機能的な効果以外に、装飾効果をも醸しだし、美的効果を増大させることができる。
【図面の簡単な説明】
【００１０】
【図１】図１は、本発明の一実施例の指輪である。
【図２】図２は、本発明の指輪の装着状態を示したものである。
【図３】図３は、本発明の一実施例のイアリングである。
【図４】図４は、本発明のイアリングの装着状態を示したものである。
【発明を実施するための形態】
【００１１】  本発明の一実施例の指輪及びイアリングを図面を参照して説明する。
図１ないし図２において、Ｒは指輪で、指輪Ｒは、指輪に装着する指輪本体１と、オーナメント２と、このオーナメント２の裏面に設けられ、爪３に付着するための接着剤４と、指輪本体１とオーナメント２とを接続する装飾チェーン５を有する。
【００１２】  オーナメント２は、適宜の装飾（ダイヤモンド、真珠などの宝石に限らず、イミテーションでも良く。）、装飾模様を具えたものであり、例えば、特開２０１５−９２９７９号公報の図１（ｂ）に示すような花弁状のもの、あるいは図４（ａ）に示すような宝石状のものなど、適宜の装身用アクセサリーに用いられているものを適用することができる。例外的なものとして図４（ｃ）に示すような意外性を持ったフェザー状のものも適用し得る。
接着剤４は、例えば、両面テープである。
【００１３】  従って、上述した指輪Ｒによれば、爪３に付着したオーナメント２が爪３から離脱しても、オーナメント２は装飾チェーン５を介して指輪本体１に接続されているため、オーナメント２の紛失を防止することができ、しかも、装飾チェン５は、接続するという機能的な効果以外に、装飾効果をも醸し出し、美的効果を増大させることができる。
【００１４】  上述した実施例においては、指輪について説明したが、本願発明にあっては、これに限らず、イアリングにも適用することができる。
即ち、図３ないし図４において、Ｅはイアリングで、イアリングＥは、耳３‘に装着するイアリング本体１と、オーナメント２と、このオーナメント２の裏面に設けられ、耳３’に付着するための接着剤４と、イアリング本体１’とオーナメント２とを接続する装飾チェーン５とを有する。
【００１５】  オーナメント２は、適宜の装飾（ダイヤモンド、真珠などの宝石に限らず、イミテーションでも良く。）、装飾模様を具えたものであり、例えば、特開２０１５−９２９７９号公報の図１（ｂ）に示すような花弁状のもの、あるいは図４（ａ）に示すような宝石状のものなど、適宜の装身用アクセサリーに用いられているものを適用することができる。例外的なものとして図４（ｃ）に示すような意外性を持ったフェザー状のものも適用し得る。
接着剤４は、例えば、両面テープである。
【００１６】  従って、上述したイアリングＥによれば、耳３’に付着したオーナメント２が耳３’から離脱しても、オーナメント２は装飾チェーン５を介してイアリング本体１‘に接続されているため、オーナメント２の紛失を防止することができ、しかも、装飾チェーン５は、接続するという機能的な効果以外に、装飾効果をも醸し出し、美的効果を増大させることができる。
【符号の説明】
【００１７】    Ｒ      指輪
１      指輪本体
２      オーナメント
３      爪
４      接着剤
５      装飾チェーン
Ｅ      イアリング
１’    イアリング本体
３’    耳
【図１】
2019076668.tif 000003
【図２】
2019076668.tif 000004
【図３】
2019076668.tif 000005
【図４】
2019076668.tif 000006
(57)【要約】【課題】  本発明は、ペースメーカー装着者や妊婦までもが安全に使用できるように、磁気や放射線や特殊金属などを使用しないで頚部の筋肉の硬直を改善する新しい構造の健康ネックレスを課題とするものである。【解決手段】  本発明は、頚部や肩部の凹凸に密着できるしなやかで柔軟性のあるネックレス本体であり、かつ、ネックレス本体に突出した滑り止め部品を４個以上配置し、かつ、滑り止め部品の材質がシリコンゴムであることを特徴とする構造の健康ネックレスである。  上記の三点を特徴としたネックレスを頚部に装着すると、微弱な物理的な刺激であるが、繰り返して皮膚表面を押圧刺激や牽引刺激することにより触覚や圧覚や痛覚神経も刺激され、二次的に皮膚表面に近い皮下組織や筋肉までもが刺激され、血流が促進されることなどで頚部や肩部の筋肉の硬直が改善される。【選択図】図３
2019076669.tif 000002
【特許請求の範囲】
【請求項１】
頚部や肩部の凹凸に密着できるしなやかで柔軟性のあるネックレス本体であり、かつ、ネックレス本体に突出した滑り止め部品を４個以上配置し、かつ、滑り止め部品の材質がシリコンゴムであることを特徴とする構造の健康ネックレス。
【発明の詳細な説明】
【技術分野】
【０００１】  本発明は、頚部に装着するネックレス式の頚部刺激健康器具に関するものである。
【背景技術】
【０００２】  従来より、磁石を埋め込んで磁力の刺激効果で頚部や肩部のコリを低減すると言われている磁気式健康ネックレスやラジウム鉱石を用いた低放射線ホルミシス効果で頚部や肩部のコリを低減すると言われている放射線式健康ネックレスが市販されている。但し、磁気式のネックレスは、ペースメーカー装着者には禁忌で使用できない。また、微量放射線を発するネックレスは、妊婦には禁忌で使用できない。他方、チタンやゲルマニウムなどの特殊金属を用いたネックレスは、効果効能の原理やメカニズムが確立されていないのが現状である。
【発明の概要】
【発明が解決しようとする課題】
【０００３】  本発明は、ペースメーカー装着者や妊婦までもが安全に使用できるように、磁気や放射線や特殊金属などを使用しないで頚部の筋肉の硬直を改善する新しい構造の健康ネックレスを課題とするものである。
【課題を解決するための手段】
【０００４】  本発明は、頚部や肩部の凹凸に密着できるしなやかで柔軟性のあるネックレス本体であり、かつ、ネックレス本体に突出した滑り止め部品を４個以上配置し、かつ、滑り止め部品の材質がシリコンゴムであることを特徴とする構造の健康ネックレスである。
上記三点の特徴を備えたネックレスを装着すると、ネックレスの自重で突出したシリコンゴム材質の滑り止め部品が皮膚表面を押圧刺激すると同時に、頚部の回旋や屈曲などの動作時には、突出した滑り止め部品が皮膚を押圧した状態で牽引刺激する。微弱な物理的刺激であるが突出したシリコンゴム材質の滑り止め部品が繰り返して皮膚を刺激し、頚部や肩部の血流などが促進され筋肉の硬直が改善される。
【発明の効果】
【０００５】  本発明の第一の特徴は、頚部や肩部の凹凸に密着できるしなやかで柔軟性のあるネックレス本体である。しなやかで柔軟性が高いネックレスを装着した場合、頚部と肩部の形状差や鎖骨などの凹凸があっても、ネックレス本体が自重で皮膚に密着する。ネックレス本体がしなやかで柔軟性があるとは、水平台に直線状に置いたネックレス本体の中央部を母指と第二指の指先で把持して持ち上げた場合、ネックレス本体が中央で折れ曲がり水平台に対して垂直に折れ下がることを言う。
第二の特徴は、ネックレス本体より突出した滑り止め部品をネックレス本体に４個以上取り付けたネックレスである。ネックレス本体より突出した滑り止め部品は皮膚表面に接触し、ネックレス本体の自重で皮膚を押圧刺激する。突出した部品が３個以下では、頭部を下方に向けた場合にネックレスが頚部にぶら下がり状態となり、滑り止め部品が頚部に１か所しか接触しない場合が発生し滑り止め部品の牽引効果が薄れる。
第三の特徴は、滑り止め部品の材質が、皮膚との滑り止め効果が高くて皮膚に優しいシリコンゴム材質であることである。皮膚に対して滑り止め効果を発揮する牽引刺激が本発明の基本であることと、滑り止め部品が皮膚に頻繁に接触することを考慮して、滑り止め効果が高く皮膚アレルギー反応を起こし難く医療現場でも使用される安全性が高いシリコンゴム材質を用いる。
上記の三点を特徴とした構造のネックレスを頚部に装着すると、微弱な物理的な刺激であるが、繰り返して皮膚表面を押圧刺激や牽引刺激することにより触覚や圧覚や痛覚神経も刺激され、二次的に皮膚表面に近い皮下組織や筋肉までもが刺激され、血流が促進されることなどで頚部や肩部の筋肉の硬直が改善される。
試作品として伸縮性のあるポリウレタン製の糸にオニキス製の４ｍｍの玉を通したネックレス本体に、５ｃｍ間隔に直径８ｍｍ厚さ４ｍｍのシリコンゴム製の円盤状の滑り止め部品を取り付けた円周４０ｃｍのネックレスを作成し、被験者１０名に装着して、頚部の筋肉硬直部の圧迫痛と柔軟性の変化を確認した。まず、被験者にベッドで伏臥位になってもらい、被験者の頚部の筋肉硬直部を手指で押圧し圧迫痛の強弱と手指触診による硬直具合を確認した。次に、起立してもらいネックレスを装着して３分経った後、再度、伏臥位になってもらい、被験者の頚部の筋肉硬直部の圧迫痛の強弱と硬直具合を確認した。結果として装着後１０名中８名に筋肉硬直部の圧迫痛の低減と柔軟性の向上が確認できた。内２名は、装着前より頚部の筋肉が柔軟であった為、装着後の変化が確認されなかった。
試作品として玉状のオニキスを用いたが、ネックレス本体は皮膚に密着できるしなやかな柔軟性を示す構造や材質であれば良く、例えば、ステンレスなどの鎖状金属チェーンや、アクリル合成繊維などのひもを用いてもよい。
皮膚に対して滑り止め部品の押圧力を高めたい場合は、伸縮性のあるひもを用いて、ひもの収縮圧迫力を加味することにより滑り止め部品をより皮膚に密着させることも可能となる。
又、ネックレスに限らず、リストバンドや足首バンドなどにも応用が可能である。
【図面の簡単な説明】
【０００６】
【図１】本発明の本体構造を示す説明図である。
【図２】本発明の押圧牽引刺激を示す拡大説明図である。
【図３】本発明の頚部への実施形態を示す見取り説明図である。
【符号の説明】
【０００７】  １、４ｍｍオニキス玉
２、シリコンゴム製円盤状滑り止め部品
３、ポリウレタン製伸縮性糸
４、糸結束用つぶし玉
５、人体頚部
６、ネックレス本体の右方向への牽引力
７、滑り止め部品の右方向への皮膚牽引力
【図１】
2019076669.tif 000003
【図２】
2019076669.tif 000004
【図３】
2019076669.tif 000005
(57)【要約】【課題】  一般的に行われるカッターによる鼻毛切断は残毛、廃毛が共に鋭角な断面を持つため鼻腔を損傷することが多々ある。本発明が目的とする鼻腔内に熱源を入れ方法は、繊細な鼻腔を熱で損傷させる危惧もあるため実用例が見られない。【解決手段】  鼻毛を焼切ることで毛先を無害化することは有効な手段であるが、熱に弱い鼻腔を保護しつつ鼻毛を焼切るためには熱源からの熱伝導を避ける工夫が肝要である。鼻腔挿入部に空気の流れを作り鼻毛を挿入部に吸い込み毛先を熱源に近づけて焼切り、空気冷却で鼻腔内の熱伝導と熱流を減じると共に熱源からの鼻腔への輻射熱を遮る工夫でこれを解決する。【選択図】図１
2019076677.tif 000002
【特許請求の範囲】
【請求項１】
本発明は、鼻腔内に差し込んだ円筒形挿入部の内部空間に鼻毛を吸引し、内部の熱源で鼻毛を焼却してを除去するものであり、熱源が及ぼす鼻腔への熱伝導と対流を空気ファンにより軽減し、かつ、熱源の輻射熱を軽減する構造を持つものであり、
挿入部先端は幾つもの開口を持ち内部に鼻毛が入る。内部は鼻毛を焼き切る熱源があり、熱源へ鼻毛を吸引する空気ファンは挿入部と繋がる本体に取り付けられ、
空気ファンにより吸引された鼻毛残渣及び熱は、本体外壁と内壁の間に有る空洞部より外部に放出される特徴のある構造を持つ、
鼻毛焼切り器具。
【請求項２】
請求項１に記載する挿入部に取り付けられた電熱器は本体に設置する空気ファンと共に本体部に取り付けられた電源とこれに繋がるスイッチで起動することを特徴とする鼻毛焼切り器具。
【請求項３】
請求項１，２に記載する装置は挿入部と本体部で構成されており、挿入部に熱源、本体部に通気空間、スイッチ、電源が取り付けられていることを特徴する鼻毛焼切り器具。
【請求項４】
熱源は一定期間で自動的に遮断され空気ファンは冷却能力保持のためにスイッチを切るまで駆動することを特徴とする鼻毛焼き器具。
【発明の詳細な説明】
【技術分野】
【０００１】  本発明は鼻腔内に電動式器具の先端部を挿入し、吸引により先端部に引き入れられた鼻毛を熱源で焼き切ることに関する。
【背景技術】
【０００２】  日常的に伸びる鼻毛を処理する方法としては、カッター方式で切ることが一般的である。しかしカッター方式では切られた鼻毛の先が皮膚を刺激し鼻腔に障害を及ぼすことが多々ある。このさいに、切り捨てられた鼻毛が鼻腔内に残り鼻を貫いて外まで飛び出す例もある。このような事態が起きない鼻毛の処理法が望ましい。
そこで鼻毛を焼き切って鼻毛を変質させることで残る毛先を尖らない安全なものに変え、処理残渣は焼却無害化する器具を提供する。鼻腔内に熱源を入れる方法は、繊細な鼻腔を熱で損傷させる危惧もあるため実用例が見られないが、空気の流れを作り鼻毛を吸い込むと同時に熱伝導を減じ、かつ、焼却部熱源の輻射熱を鼻腔壁から遮る方法を取ることでこれを解決する。【０００３】  本発明は熱源からの輻射熱を減じる工夫を持ち、かつ、鼻毛を熱源に取り入れるための吸引装置も付加したものである。
【先行技術文献】
【特許文献】
【０００４】
【特許文献１】特開２０１５−１４６９１７
【特許文献２】特開平０８−０６６５６９
【特許文献３】特開平０９−１５５０７９
【特許文献４】特開２００２−２６２９２５
【発明の概要】
【発明が解決しようとする課題】
【０００５】  鼻毛を焼切るためには繊細な鼻腔内に熱源を入れることが必要である。過去にはライターの炎で焼切る蛮行も行い鼻腔を損傷させている例もある。
熱源を鼻腔内に入れる電熱器も造られたが電動熱、輻射熱が鼻腔を損傷し実用に具されていない。【０００６】  本発明は鼻毛を熱源まで吸引することで鼻腔と熱源の間隔を保持するとともに、熱伝導と熱対流を空気ファンで冷却すると共に鼻腔への輻射熱を防御壁で減ずることで鼻腔を守り鼻毛を焼切ることにある。
【課題を解決するための手段】
【０００７】  取り除く対象の鼻毛を吸引することで器具内に取り込むことが出来る。吸引ファンにより熱源に引き寄せた鼻毛を焼却する。吸引ファンは鼻腔内の熱を本体内に取り込み底部より排出する。【０００８】  また、鼻腔内に放射される熱は隔壁をで出来る限り遠ざけるが隔壁は鼻毛を吸引することで妨げとならない構造である。
【発明の効果】
【０００９】  従来の鼻毛カッターに比して焼却した鼻毛は毛先が丸まることで鼻腔内を刺激することがない。また、焼切られた鼻毛は炭化されて無害化され空気ファンにより鼻腔に残ることなく排出されるため障害となることは無い。
【図面の簡単な説明】
【００１０】
【図１】本発明に係る鼻毛焼切り器具の断面図である。
【発明を実施するための形態】
【００１１】  鼻腔への挿入部は熱源を取り付けて鼻腔に無理のない形状を持ち、鼻毛が容易に取り込められる開口部を持っている。本体は鼻腔挿入部と手を添えるに十分でかつ駆動に必要な容量の電源を格納する握り部分より構成されている。握り部分は空気ファンとスイッチを設置し、内部隔壁間に空気の排出空間を持っている。
【００１２】  電源スイッチは手動で開閉するが、熱源は安全のために一定期間で遮断される形態である。
【実施例】
【００１３】  鼻毛切は顔の美容と鼻の衛生保持のために日常的に行われる行為であり、鼻毛カッターが一般的に使用されている。また鼻毛を抜く方法も取られているが鼻毛を焼切る方法は一般的ではない。
【産業上の利用可能性】
【００１４】  鼻毛処理は社会的な生活には欠かせない行為であるため多くの器具が開発されて販売されている。一般的なものが鼻毛カッターであるが、切られた毛先が鼻腔を刺激し損傷させることが多々ある。本発明は鼻毛を切らずに焼切ることができるため、毛先は熱で変質され無害化できることで器具の利用価値は高い。
【符号の説明】
【００１５】１  鼻腔挿入部
２  熱源
３  本体部
４  吸引ファン
５  電源部
６  スイッチ
【図１】
2019076677.tif 000003
(57)【要約】      （修正有）【課題】掌に障害のある人でも体幹を鍛えるための腕立て伏せをすることを可能にする腕立て伏せ運動器具を提供する。【解決手段】腕立て伏せ運動器具１は、板２をベースにして、頂点に親指の付け根を載せて体重を持ち上げることのできる、ドアノブ状の支柱４を有することを特徴とする。【選択図】図１
2019076673.tif 000002
【特許請求の範囲】
【請求項１】
障害などにより掌が充分開きにくくなった人や手首が直角に曲がらなくなった人は、腕立て伏せをするとき、掌で体重が支えられず、さりとてげんこつや指先でも支えられないのであきらめてしまうが、そういう人でも体幹を鍛えるための腕立て伏せができるようにした運動器具、
本発明の掌が充分開きにくくなった人のための腕立て伏せ運動器具１．は、長さ８０ｃｍ幅２０ｃｍ厚さ１ｃｍの板をベースにして、その板の表面の両端に親指の付け根を載せて体重を支えるためのドアノブ状の突起が起っている、ドアノブ状の突起は、上端が直径１０ｃｍほどの半球形で下部は、直径５ｃｍの円柱でできている、このドアノブ状の突起は、人の肩幅よりやや広い７０ｃｍの間隔で起っている、これを使う人は、両手で両端のドアノブ状の突起を掴むのではなく  ドアノブ状の突起の上面に掌の親指の付け根を載せて体重をかけ、その上で両足を後ろに伸ばして腕立て伏せをすることができる、障害のある手、指、手首などに負担がかからないようにした腕立て伏せ運動器具である。
【発明の詳細な説明】
【技術分野】
【０００１】本発明は、掌が充分開かなくなった人のための  、腕立て伏せ運動器具１に関する。
【背景技術】
【０００２】従来、加齢などのため関節の硬直の障害で掌が充分に開かなくなった人は、腕立て伏せをする時、掌で体重を支えることが出来なかった、【０００３】以下、図５で示すように、掌に障害がある人は腕立て伏せをあきらめた、
【発明の概要】
【発明が解決しようとする課題】
【０００４】以上述べたように、従来の腕立て伏せのように掌で体重を支えるのは、困難である【０００５】本発明は、このような従来の構成が有していた問題を解決しようとするもので、手指や手首に負荷をかけずに腕立て伏せを行うことを目的としている。
【課題を解決するための手段】親指の付け根５をドアノブ状の支柱４の頂点に載せ、手指は接地せず浮かせた状態で腕立て伏せをすることができるよにした。【０００７】また、第１の課題解決手段は、手指が接地しないように直径１０ｃｍのドアノブ状の支柱４の頂点は、ベース２より１０ｃｍ高い位置にある、【０００８】上記第１の課題解決手段による作用は、親指の付け根５に体重をかけることによって、手指に負荷をかけることはない、【０００９】第２の課題解決手段による作用は、直径１０ｃｍのドアノブ状の支柱４の頂点は、ベース２より１０ｃｍ高い位置にあるので手指は浮いた状態で接地することはない。
【発明の効果】
【００１０】上述したように本発明の    腕立て伏せ運動器具１は、掌に障害のある人でも体幹を鍛えるための腕立て伏せをすることを可能にする。
【図面の簡単な説明】
【００１１】
【図１】本発明の実施形態を示す腕立て伏せ運動器具１の斜視図
【図２】親指の付け根でささえる腕立て伏せをする人の状態を示した斜視図。
【図３】人の手の親指の付け根を示した正面図
【図４】腕立て伏せ運動器具で腕立て伏せをする人の斜視図
【図５】手指の変形などで腕立て伏せをあきらめた人の斜視図
【発明を実施するための形態】
【００１２】以下、本発明の実施の形態を図１から図５に基ずいて説明する、
【００１３】図において１は、ベースの表面３の長手方向の両端にドアノブ状の支柱４が起っている
図２は、その支柱４に親指の付け根で体重を支える。
【００１４】図３は、親指の付け根を示している、
【００１５】図４は、支柱４に親指の付け根で体重を支え、足を後方に伸ばして腕立て伏せを行っている。
［図５］は、手指が変形していて腕立て伏せができない人。
【符号の説明】
【００１６】１    腕立て伏せ運動器具
２    ベース
３    ベースの表面
４    ドアノブ状の支柱
５    親指の付け根
【図１】
2019076673.tif 000003
【図２】
2019076673.tif 000004
【図３】
2019076673.tif 000005
【図４】
2019076673.tif 000006
【図５】
2019076673.tif 000007
(57)【要約】      （修正有）【課題】病気等で半身不随で腕の動作が困難な人が、肘掛け付の椅子に装着したテーブルで、着席した状態で、Ｌ型ハンドルと連動する腕用台車を自分の利き腕で動かしてリハビリが可能な、自立式腕麻痺部リハビリ機具を提供する。【解決手段】肘掛け付きの椅子に着席した状態で、切欠テーブルを装着してテーブルに設けたＬ型ハンドルを自分の利き腕で前、後に動かすと、円柱を軸に連結棒を介して腕を乗せた腕台車の前後の動作が可能な自立式腕麻痺部リハビリ機具を提供できる。【選択図】図１
2019076684.tif 000002
【特許請求の範囲】
【請求項１】
切欠テーブルの両袖下部に固定用バンドを設け、円柱を固定したベースを、切欠部中央に設け、前記円柱にカラーを設け、その上にＬ型ハンドルと連結棒を設けた鞘管を設け、腕用台車の下部にフリーベアーを設け、前部には穴を設け、前記連結棒の先端を差し込んで、前記Ｌ型ハンドルと前記腕用台車が連動して前後に可動する自立式腕麻痺部前後リハビリ機具。
【発明の詳細な説明】
【技術分野】
【０００１】  本発明は、病気等で半身不随等で、日常生活が困難な人が自分の利き腕を使って動かなくなった腕を前、後に動かして機能回復を、早期にするためのリハビリ機具に関するものである。
【背景技術】
【０００２】  従来の腕の動作訓練は、病院等で理学療法士による訓練と患者本人の努力しだいだった。【０００３】  病院、施設等でのリハビリ治療は、時間に制限があり、又時間の経過で関節が固くなり動作が困難な状態になる。
この自立式腕麻痺部リハビリ機具は、肘掛の付いている椅子であれば車椅子でも装着できるので、座って自分のペースで無理なく気軽にリハビリができ早期の回復が期待できる。
【発明の開示】
【発明が解決しようとする課題】
【０００４】  本発明の課題は、病院等では歩行訓練等を重要視して機具の開発等がなされていたが、腕の動作訓練の器具の開発はなされていなかった。
その観点から、利き腕でＬ型ハンドルを前、後すれば麻痺した腕が後、前の動作ができる。自立式腕麻痺部リハビリ機具を提供する事にある。
【課題を解決するための手段】
【０００５】  切欠を設けたテーブルの中央に、円柱を設けたベースを固定し、鞘管の胴部側面にＬ型ハンドルを設け、その反対側に連結棒と腕台車を設け、円柱に差し込んで利き手でＬ型ハンドルを前後すると連動して腕を乗せた腕台車が移動が可能になった結果、本発明をなすに至ったものである。
【発明の効果】
【０００６】  本発明の自立式腕麻痺部リハビリ機具は、肘掛けが付いている椅子であれば装着が可能なので、施設等でのリハビリ以外、自宅でもできるので時間に制限なくリハビリができ早期の機能回復が期待できる。
【図面の簡単な説明】
【０００７】
【図１】本発明の全体の斜視図
【発明を実施するための形態】
【０００８】次に本発明の実施の形態について説明する
【０００９】切欠テーブル１の両袖側内面に椅子に固定するためのバンド７．７ａと円柱２を固定したベース５を切欠部正面に設ける。
【００１０】円柱２にカラー４を差し込みその上に鞘管９を設け胴部側面にＬ型ハンドル３とその反対側に連結棒１０を設ける。
【００１１】腕用台車６の前部に穴を設け、連結棒１０の先端を差し込んで連結し、腕台車の下部にはフリーベアー１１．１１ａ．１１ｂを設ける。
本発明は以上のような構造である。
これを使用すると、自分でリハビリが可能なので、早期の機能回復が期待できる。
【符号の説明】
【００１２】１．切欠テーブル．２．円柱．３  Ｌ型ハンドル．４  カラー  ５  ベース．６  腕用台車．７．７ａ  バンド．８．８ａ  マジックテープ  ９  鞘管．１０  連結棒．１１．１１ａ．１１ｂ．フリーベアー
【図１】
2019076684.tif 000003
(57)【要約】【課題】  病気等で半身不随で腕の動作が困難な人が、肘掛け付きの椅子に装着したテーブルで着席した状態で、腕用バンドとワイヤーで繋がっている取手を自分の利き腕で引くと、腕用バンドが上がり、リハビリが可能な、自立式腕麻痺部上げ下げリハビリ機具を提供する。【解決手段】肘掛け付きの椅子に着席した状態で、切欠テーブルを装着して、両端に滑車を設けた天秤状の支柱をテーブルに設け滑車から垂れ下がるワイヤーの端部の取手と腕用バンドが自分の利き腕で取手を引くと、麻痺して動かない腕が上がり、取手を戻すと下がる上下の動作が可能な、自立式腕麻痺部上げ下げリハビリ機具を提供できる。【選択図】図１
2019076683.tif 000002
【特許請求の範囲】
【請求項１】
切欠テーブルの両袖下部にバンドを設け、円柱を設けたベースを、テーブルの切欠部中央上部に設ける。支柱上端にコの字バーを設け、その両端に滑車を設ける。
ワイヤーのそれぞれの端部に取手とバンドを設け、前記滑車に設け、前記円柱に前記支柱を設ける。
以上の構成よりなる自立式腕麻痺部上げ下げリハビリ機具。
【発明の詳細な説明】
【技術分野】
【０００１】  本発明は、病気等で半身不随等で、日常生活が困難な人が自分の利き腕を使って動かなくなった腕を上下に動かし機能回復を、早期にするためのリハビリ機具に関するものである。
【背景技術】
【０００２】  従来の腕の動作訓練は、病院等で理学療法士による訓練と患者本人の努力しだいだった。【０００３】  病院、施設等での動作訓練は、時間に制限があり、又時間の経過で関節部が固くなり動作が困難な状態になる。
この自立式腕麻痺部上げ、下げリハビリ機具は、同日特許出願した自立式腕麻痺部リハビリ機具の切欠テーブルと同様で機具の取り替えで機能回復の効果が期待できる。
【発明の開示】
【発明が解決しようとする課題】
【０００４】本発明の課題は、病院等では歩行訓練等を重要視して機具の開発等がなされていたが、腕の動作訓練の機具の開発はなされていなかった。
その観点から、自分の利き腕で取手を引いて麻痺した腕を上げ、取手を戻すと下げる動作ができる。
自立式腕麻痺部上げ下げリハビリ機具を提供する事にある。
【課題を解決するための手段】
【０００５】  切欠を設けたテーブルの中央に円柱を設けたベースを固定し、前記円柱に支柱を立て支柱上端にコの字バーを設け前記コの字バーの両端に滑車を設けワイヤーを通しそのワイヤーの端々に取手とバンドを設ける。麻痺した腕にバンドを掛け、利き手で取手を引くと、ワイヤーで引かれて上がり戻すと下がる動作が可能になった結果本発明をなすに至ったものである。
【発明の効果】
【０００６】本発明の自立式腕麻痺部上げ下げリハビリ機具は、肘掛けが付いている椅子であれば装着が可能なので、施設等でのリハビリ以外自宅でもできるので時間に制限ない。又同日特許出願した自立式腕麻痺部リハビリ機具の切欠テーブルと同様で機具の取り替えで機能回復の効果が期待できる。
【図面の簡単な説明】
【０００７】
【図１】本発明の全体の斜視図
【発明を実施するための形態】
【０００８】次に本発明の実施の形態について説明する
【０００９】切欠テーブル１の両袖側内面にバンド９．９ａと円柱２を設けたベース３を前記テーブル１の切欠部正面上部に設ける。
【００１０】円柱２に設けた支柱４の上端部に両端部に滑車８．８ａを設けたコの字バー７を設ける
【００１１】ワイヤー６の端部に取手５を設け、反対側端部には腕用バンド１１を設けたワイヤー６を滑車８．８ａに設ける。
本発明は以上のような構造である。
これを使用すると、自分でリハビリが可能なので、早期の機能回復の効果が期待できる。
【符号の説明】
【００１２】１．切欠テーブル  ２．円柱．  ３．ベース  ４．支柱  ５．取手  ６．ワイヤー  ７．コの字バー  ８．８ａ  滑車  ９．９ａ  バンド  １０．１０ａ  マジックテープ  １１．腕用バンド
【図１】
2019076683.tif 000003
(57)【要約】【課題】  半身不随で患者本人が麻痺して動かない足を動かすことができなくて回復するのに時間がかかっていたのを、自分でハンドルを動かして膝の曲げ伸しができる自立式足麻痺部膝の曲げ伸しリハビリ機具を提供する。【解決手段】肘掛け付きの椅子に座った状態で切欠テーブルを装着しテーブル上に設けた円柱から連結バーでテーブルの先端に可動するハンドルと連動するＬ型連結バーを設け、先端にローラーを設ける。動かない足の脹ら脛にローラーをあてハンドルを引けば、膝が伸び戻すと曲がる動作が可能な自立式足麻痺部膝の曲げ伸しリハビリ機具を提供することができる。【選択図】図１
2019076682.tif 000002
【特許請求の範囲】
【請求項１】
切欠テーブルの両袖下部にバンドを設け、円柱を設けたベースを前記切欠テーブルの切欠部中央上部に設ける。
前記円柱にカラーを設け、その上に鞘管と連結バーを設けた差し込み管を設ける。
前記鞘管に連絡パイプを設け、ハンドルを設けたハンドル用鞘管とＬ型連結バーを設けたＬ型連結バー用鞘管を前記連絡パイプの両端部に向きを対称に設け固定ねじで固定し前記Ｌ型連結バーのＬ部にローラーを設けた。
以上の構成よりなる自立式足麻痺部膝の曲げ伸しリハビリ機具。
【発明の詳細な説明】
【技術分野】
【０００１】本発明は、病気等で半身不随等で足が不自由になった人が自分の利き腕を使って動かなくなった膝下部を前後に動かして機能回復を早期にするためのリハビリ機具に関するものである。
【背景技術】
【０００２】従来の歩行訓練は、病院等で理学療法士による訓練と機械又は装具を使っての訓練だった。【０００３】病院、施設等でのリハビリ治療は、時間に制限があり、又機械、装具等が使用中だったりで思うようにすすまず、又時間の経過で関節が固くなり動作が困難な状態になる。
この自立式足麻痺部膝の曲げ伸しリハビリ機具は、肘掛けの付いている椅子であれば車椅子でも装着できるので、座って自分のペースで無理なく気軽にリハビリができ早期の回復が期待できる。
【発明の開示】
【発明が解決しようとする課題】
【０００４】本発明の課題は、病院等では理学療法士による動作訓練と手摺等につかまっての歩行訓練で、患者自身での膝の曲げ伸しの訓練はできなかった。
その観点から、患者が座った状態でハンドルを利き腕で引くと麻痺した足の膝が伸び、戻すと曲がる動作ができる。
自立式足麻痺部膝の曲げ伸しリハビリ機具を提供する事にある。
【課題を解決するための手段】
【０００５】切欠を設けたテーブルの中央に、円柱を設けたベースを固定し、円柱から連結バーを設けてテーブル先端部に、連絡パイプを設けた鞘管を設け、連絡パイプの一端にハンドルを上に向け、ローラーを設けたＬ型連結バーを下に向けて反対側の端部に設ける。ハンドルを手前に引けば、連絡パイプを介してＬ型連結バーに設けたローラが脹ら脛部からアキレス腱側へ移動しながら膝が伸びた結果、本発明をなすに至ったものである。
【発明の効果】
【０００６】本発明の自立式足麻痺部膝の曲げ伸しリハビリ機具は、車椅子にも装着が可能なので、施設等でのリハビリ以外、自宅でもできるので、時間に制限なくでき早期の回復が期待できる。又整理番号ＣＨＵＢＡＣＨＩ．１２．１３．とテーブル円柱が同じで、機具の選択で三種類の動作訓練が可能である。又構造も簡単でコストも安く納まる。
【図面の簡単な説明】
【０００７】
【図１】  本発明の全体の斜視図
【発明を実施するための形態】
【０００８】次に本発明の実施の形態について説明する
【０００９】切欠テーブル１の両袖内面にバンド１０．１０ａを設け、円柱、１２、に設けたベース１４を、前記切欠テーブルに設ける。
【００１０】円柱１２に、カラー１３を設け、鞘管６を設けた連結バー１５に差し込み管１６を設け、前記円柱に設ける。
【００１１】前記鞘管に連絡パイプ５を通し、片端にハンドル２を設けたハンドル用鞘管３を固定ねじ４で設け、反対側にＬ型連結バー８を設けた、Ｌ型連結バー用鞘管７を固定ねじ４ａで設け、前記Ｌ型連結バーの下部にローラー９を設ける。
本発明は以上のような構造である。
これを使用すると、自分でリハビリが可能なので、早期の機能回復が期待できる。
【符号の説明】
【００１２】１．切欠テーブル  ２．ハンドル  ３．ハンドル用鞘管  ４．４ａ  固定ねじ  ５．連絡パイプ  ６．鞘管  ７．Ｌ型連結バー用鞘管  ８．Ｌ型連結バー  ９．ローラー  １０．１０ａ．バンド  １１．１１ａ．マジックテープ  １２．円柱  １３．カラー  １４．ベース  １５．連結バー  １６．差し込み管
【図１】
2019076682.tif 000003
(57)【要約】【課題】ロールペーパー４の装填から切断までの一連の操作を片手で行うことを可能とするロールペーパーホルダーを提供することを目的とする。【解決手段】ペーパーカバーは設けない。本体１をL字形とし、その片側の面に垂直を成すように、ペーパー保持軸２を固定する。これによりペーパー保持軸２を片持ち支持とする。また、その本体１の固定面を傾け、ペーパー保持軸２の開放側を固定側に対し高くなるようにする。本体１のペーパー保持軸２固定側にペーパー捕獲部３を設ける。ペーパー捕獲部３に、鋸刃形状や櫛形状、波形状などを設ける。これらの構成により、ロールペーパー４をペーパー捕獲部３の方向に引くことでロールペーパー４の回転を停止し、ペーパー捕獲３に当て上方に引っ張ることで切断することを可能とする。【選択図】図１
2019076649.tif 000002
【特許請求の範囲】
【請求項１】
ロールペーパー４を引く力の方向を考慮することで、ロールペーパー４の回転を停止し、切断を可能とすることを特徴とするロールペーパーホルダー。
【請求項２】
ペーパー保持軸２を片持ちとし、また傾斜させ、本体１のペーパー保持軸２固定側にペーパー捕獲部３を設けることを特徴する請求項１記載のロールペーパーホルダー。
【発明の詳細な説明】
【技術分野】
【０００１】
本発明は、トイレットペーパーなどのロール状に巻かれたシートを保持するためのロールペーパーホルダーに関するものである。ロールペーパー等の装填、繰り出し及び切断までの一連の操作を片手で行うことを可能とするロールペーパーホルダーに関するものである。
【背景技術】
【０００２】
トイレットペーパーホルダーなどの、従来のロールペーパーホルダーは、水平なペーパー保持軸の両端が支持され、上部にペーパーカバーを有する構造が主流である。
【発明の概要】
【発明が解決しようとする課題】
【０００３】
したがって、ロールペーパーを装填する際に上部カバーを片手で保持し、もう一方の手でロールペーパーを装填したペーパー保持軸を装着する操作を行う等、両手を使用する必要があった。ロールペーパーを切断する際も、同様に上部のカバーを片手で押さえ、もう一方の手でロールペーパーを引っ張る操作を行うため、両手を使用する必要があった。
本発明は、以上の問題点を解決し、ロールペーパーの装填から切断までの一連の操作を片手で行うことを、非常に簡素な構造で達成するためのものである。
【課題を解決するための手段】
【０００４】
ペーパーカバーは設けない。本体１をL字形とし、その一方の面に対し垂直を成すように、ペーパー保持軸２を固定する。これによりペーパー保持軸２を片持ち支持とする。また、その本体１の固定面を傾け、ペーパー保持軸２の開放側を固定側に対し高くなるようにする。本体１のペーパー保持軸２固定側にペーパー捕獲部３を設ける。ペーパー捕獲部３に、鋸刃形状や櫛形状、波形状などを設ける。これらの構成により、ロールペーパー４をペーパー捕獲部３の方向に引くことで、ロールペーパー４の回転を停止し、ペーパー捕獲部３に当て上方に引っ張ることで切断することを可能とする。
以上を特徴とするロールペーパーホルダーである。
【発明の効果】
【０００５】
ペーパーカバーを有せず、ペーパー保持軸２を片持ちとすることで、片手で容易にロールペーパー４を装填、引き出すことを可能とする。ペーパー保持軸２を傾けることでロールペーパー４の脱落を防止する。ロールペーパー４をペーパー捕獲部３の方向、つまりペーパー保持軸２と平行に引くことで、ロールペーパー４の回転を停止することを可能とする。回転停止後、ロールペーパー４をペーパー捕獲部３に当て位置を固定する。次に上方に引っ張る操作によりロールペーパー４を切断することを可能とする。以上のように、ロールペーパー４の装填から切断までの一連の操作を片手で行うことを可能とするものである。さらに切断後、ロールペーパー４切断部は捕獲部３に捕獲されているため、次回使用時に容易に片手で引き出すことを可能とする。図２に状態を示す。
【図面の簡単な説明】
【０００６】
【図１】ロールペーパーホルダーの斜視図である。基本構造を示す。
【図２】正面より見た図である。ロールペーパー４をペーパー保持軸２に装填した状態を示す。ロールペーパー４は捕獲部３に捕獲され切断されている。
【発明を実施するための形態】
【０００７】
以下、本発明の実施形態について説明する。
図１は、本発明の一実施例である。図１のように本発明は、本体１とペーパー保持軸２と本体１に設けたペーパー捕獲部３からなる非常に簡素な構成である。
本体１をL字形とし、その一方の面に対し垂直を成すように、ペーパー保持軸２を固定する。これによりペーパー保持軸２を片持ち支持とする。また、その本体１の固定面を傾け、ペーパー保持軸２の開放側を固定側に対し高くなるようにする。本体１のペーパー保持軸２固定側にペーパー捕獲部３を設ける。ペーパー捕獲部３に、鋸刃形状や櫛形状、波形状などを設ける。これらの構成により、ロールペーパー４をペーパー捕獲部３の方向、つまり、ペーパー保持軸２と平行に引き、ロールペーパーが回転しようとする方向と直角な方向に力を作用させることで、ロールペーパー４の回転を停止させる。次にロールペーパー４をペーパー捕獲部３に当て上方に引っ張ることで切断することを可能とする。
【０００８】
本発明を使用するときの操作は以下である。
ペーパー保持軸２の開放側より、ロールペーパー４を差し込む。ロールペーパー４を必要な分量だけ引き出す。ロールペーパー４をペーパー保持軸２と平行な方向に引き捕獲部３に当てる。ロールペーパー４を上方に引き切断する。
【符号の説明】
【０００９】
１  本体
２  ペーパー保持軸
３  ペーパー捕獲部
４  ロールペーパー
【図１】
2019076649.tif 000003
【図２】
2019076649.tif 000004
(57)【要約】      （修正有）【課題】簡単にゲーム進行を予測したり、ゲームのエンディングを予想したりすることができない検索エンジンを用いたゲームを提供する。【解決手段】ゲーム運営会社以外の会社・法人が運営している検索エンジンを用いることで、そのゲームの選択肢が無数に広がり、単純に答や結末を予想したり、対策を立てられることを予防できる。検索エンジンを利用し、出てきた結果を用い、ゲームやストーリーが進む。また、検索エンジンを利用したことで発見できるサイト（ホームページや写真、情報、コラムなど）を用意し、そこから得られた情報（架空の情報も含む）でゲームやストーリーを進めることができる。検索エンジン自体の使用は、ゲームプレイヤーの任意判断で行われる。【選択図】図１
2019076501.tif 000002
【特許請求の範囲】
【請求項１】
インターネット上の複数（または単一）の検索エンジンを利用し、ゲームの進行を進めるゲーム。
検索エンジンとは、グーグル社が提供する総項目検索エンジンの他、横断検索エンジン、職業検索エンジン、ブログ検索エンジン、ニュース検索エンジン、専門情報検索エンジン、商品検索エンジン、地図情報検索エンジンなどを指す。
【請求項２】
請求項1のインターネットをアプリに置き換えた場合。
【発明の詳細な説明】
【技術分野】
【０００１】
この発明は、各種検索エンジンの検索結果を利用してゲームを進めるゲームシステムに関するものである。
【背景技術】
【０００２】
従来のコンピュータを利用したゲームでは、ゲーム運営会社の提供したゲームシステムのみを利用して進めるゲームがすべてであった。
【先行技術文献】
【非特許文献】
【０００３】
【非特許文献１】google社が運営している検索エンジン
【発明の概要】
【発明が解決しようとする課題】
【０００４】
従来のコンピュータを利用したゲームでは、ゲーム運営会社の提供したゲームシステムのみを利用して進めるゲームばかりだった。だが、そのようなゲームでは、プレイヤーはゲーム運営会社の提供したゲーム空間（閉塞された固定空間）でのみゲームをプレイすることから、簡単にゲーム進行を予想できたり、ゲームのエンディングの予想が可能だった。
【課題を解決するための手段】
【０００５】
ゲーム運営会社以外の会社・法人が運営している検索エンジンを用いることで、そのゲームの進行選択肢が無数に広がり、単純に答や結末を予想したり、対策を立てられることを予防できる。
検索エンジンを利用し、出てきた結果を用い、それによってゲームやストーリーが進む。
また、検索エンジンを利用したことで発見できるサイト（ホームページや写真、情報、コラムなど）を用意し、そこから得られた情報（架空の情報も含む）でゲームやストーリーを進めることができるゲームシステム。
検索エンジン自体の使用は、ゲームプレイヤーの任意の判断で行われる。
【発明の効果】
【０００６】
ゲーム運営会社が用意したゲーム内選択肢では、プレイヤーは容易に答を予想できたり、最適解にたどり着くが、インターネット内の多くの検索エンジンを利用することで、無数の選択肢を産み、ゲーム内の進行を難しくする。
【図面の簡単な説明】
【０００７】
【図１】プレイヤーは、検索エンジンに自分で推理した「キーワード」を入れ、それによって、提供された複数のサイト情報から、正しいサイトを選ぶことで、ゲームは進行する。間違ったサイトを選んだ場合は、ゲームは進行しない。
【発明を実施するための形態】
【０００８】
インターネットアプリ、紙上のゲームとして、公開する。
【実施例】
【０００９】
例1。推理ゲーム。検索エンジンを利用することで得られる情報を推理の一助にして進めることができる。
例2。小説型のゲーム。小説内で登場する人物（実在の人物、非実在の人物を含む）のプロフィールやエピソードなどが書かれた特定サイトを検索エンジンで探すことで、読み進めることができ、それによってしかゲームを進行できないタイプのゲーム。また、小説自体が複数のパートから構成され、それぞれのパートがインターネット上の別な場所に格納されており、それを検索エンジンで探しながら、読み進めていくタイプのゲーム。
【産業上の利用可能性】
【００１０】
インターネット、アプリ、紙などの媒体を通して、新たなるゲームの可能性を広げる。
【符号の説明】
【００１１】
1  ゲームプレイヤー
2  インターネット空間
3  検索エンジン
4  サイト
5  ゲーム進行に関係ないサイト
6  ゲーム進行を進めることができるサイト
【図１】
2019076501.tif 000003